(57)【要約】【課題】テナントビルの専用部分にオーナの了解を得ることなく設置できる入退室管理システムを提供する。【解決手段】入退室管理システム（１）は、テナントビルの専用部分に連なる出入口（１３）に設けられる入退室管理システムにおいて、一つにはロック機構付き扉が据え付けられた複数のパーテーション（４）と、一辺が上記出入口に接するように床に置かれるとともに溝（１５）に上記パーテーションを嵌入することにより上記パーテーションが立てられる底板（３）と、を備える。【選択図】図１
2010101048.tif 000002
【特許請求の範囲】
【請求項１】
テナントビルの専用部分に連なる出入口に設けられる入退室管理システムにおいて、
一つにはロック機構付き扉が据え付けられた複数のパーテーションと、
一辺が上記出入口に接するように床に置かれるとともに溝に上記パーテーションを嵌入することにより上記パーテーションが立てられる底板と、
を備えることを特徴とする入退室管理システム。
【請求項２】
上記ロック機構は、電気錠であり、
上記扉が据え付けられたパーテーション以外のパーテーションの中には、上記電気錠を操作する電気錠操作盤と専用部分への入室を許可された人を認証する認証装置とが一緒にまたは別々に据え付けられるパーテーションが含まれ、
上記扉が据え付けられたパーテーションと上記電気錠操作盤が据え付けられたパーテーションとにそれぞれ上記電気錠に接続されたコネクタと上記コネクタに接続することができるとともに上記電気錠操作盤に接続されたコネクタとが設けられることを特徴とする請求項１に記載の入退室管理システム。
【発明の詳細な説明】
【技術分野】
【０００１】
この発明は、ビルのテナントの専用部分に設置する入退室管理システムに関するものである。
【背景技術】
【０００２】
一般にテナントビルでは多種多様なテナントにフロアや部屋を貸し出すため特にフロアや部屋への入退室を管理する入退室管理システムが備え付けられていない。そこで、テナントは専用部分をパーテーションや壁により区切り入退室管理システムを設置している。そして、パーテーションや壁を天井から床に亘り構築するとき床の上に土台を固定し、天井に桟を固定してこれらにパーテーションや壁を固定する（例えば、特許文献１参照）。
【０００３】
【特許文献１】特開２００１−２３４６６７号公報
【発明の開示】
【発明が解決しようとする課題】
【０００４】
しかし、土台や桟を固定する作業では音が出るので施工が休日に限られるという問題がある。
また、一般的にビルのテナントは、借りた専用部分をパーテーションや壁で区切る場合、天井、壁や床などを工事するとなるとオーナの了解を得てから行わなければならないという問題がある。
また、貸借の契約を解消して退去するときにも現状を回復するための工事が必要である。
【０００５】
この発明の目的は、テナントビルの専用部分にオーナの了解を得ることなく設置できる入退室管理システムを提供することである。
【課題を解決するための手段】
【０００６】
この発明に係る入退室管理システムは、テナントビルの専用部分に連なる出入口に設けられる入退室管理システムにおいて、一つにはロック機構付き扉が据え付けられた複数のパーテーションと、一辺が上記出入口に接するように床に置かれるとともに溝に上記パーテーションを嵌入することにより上記パーテーションが立てられる底板と、を備える。
【発明の効果】
【０００７】
この発明に係る入退室管理システムの効果は、底板に工場で予め扉、認証装置や電気錠操作盤が据え付けられたパーテーションを溝に嵌入したり、電源線を最寄りのコンセントに接続したりすることにより使用を開始でき、ビル側に何らの加工を施さないので、ビルのオーナの了解を得る必要がなく、テナントだけで判断することができることである。
【発明を実施するための最良の形態】
【０００８】
実施の形態１．
図１は、この発明を実施するための最良の形態に係る入退室管理システムを出入口側から眺めた斜視図である。図２は、この発明を実施するための最良の形態に係る入退室管理システムを専用部分側から眺めた斜視図である。図３は、この発明に係る底板の斜視図である。
この発明を実施するための最良の形態に係る入退室管理システム１は、図１、図２に示すように、ビルのテナントの専用部分に連なる出入口１３の内側の床の上に配置される底板３、底板３から縦立するパーテーション４、パーテーション４の１つに据え付けられたロック機構としての電気錠８が付属される扉５、パーテーション４の１つに据え付けられたカードリーダ６が備わる認証装置７及び認証が成功したとき電気錠８を解錠する電気錠操作盤９、パーテーション４の１つに据え付けられたインターホン子機１０、および部内者が在席する場所に配置されるインターホン親機１１を備える。
【０００９】
この発明に係る入退室管理システム１は、ビルのテナントが借り受けている専用部分に出入りする人を管理するシステムである。そのため、底板３は、共用部分と専用部分を区切っている壁１２に設けられた出入口１３の内側の床に置かれる。そして、図３に示すように、底板３の４隅にはパーテーション４の側端面に嵌入することによりパーテーション４を支えるポール１４が縦立され、それらポール１４を結ぶ線上のうち３辺にはパーテーション４の下端面を嵌入する溝１５が設けられている。そして、３辺で出入口１３を囲むよう底板３を配置する。このときポール１４を壁１２に隙間が残らないよう配置する。
【００１０】
パーテーション４には、何も据え付けられていない汎用パーテーション４ａ、電気錠８が付属された扉５が据え付けられた扉付パーテーション４ｂ、認証装置７と電気錠操作盤９とが据え付けられた第１機器パーテーション４ｃ、インターホン子機１０が据え付けられた第２機器パーテーション４ｄの４種類が用意されている。これらのパーテーション４は工場で予め製造され、ビル内では加工を施さない。
【００１１】
扉付パーテーション４ｂの扉５には電気錠８が備え付けられており、この電気錠８は通常旋錠されており、電気錠操作盤９からの解錠信号が入力されるときだけ解錠される。そして、扉付パーテーション４ｂの第１機器パーテーション４ｃに対向する側端面にはコネクタ１６ａが設けられている。このコネクタ１６ａには電気錠８からの配線が接続されている。
【００１２】
第１機器パーテーション４ｃには、専用部分に入ることが許可されている人の個人識別情報が記憶されている図示しないＩＣカードから個人識別情報を読み取るカードリーダ６を付属し、読み取った個人識別情報を用いて人を認証する認証装置７と、認証装置７による認証が成功したとき電気錠８に解錠信号を送る電気錠操作盤９とが据え付けられている。そして、第１機器パーテーション４ｃの扉付パーテーション４ｂに対向する側端面にはコネクタ１６ｂが設けられている。このコネクタ１６ｂには電気錠操作盤９からの配線が接続されている。
扉付パーテーション４ｂと第１機器パーテーション４ｃとを組み立てるときに対向する側端面に設けられたコネクタ１６ａ、１６ｂを接続することにより、電気錠操作盤９で電気錠８を旋解錠することができる。
【００１３】
また、第１機器パーテーション４ｃからは電源線１７が引き出され、電源線１７の先にはプラグ１８が設けられている。この電源線１７の先には認証装置７と電気錠操作盤９が接続され、第１機器パーテーション４ｃの近くに有るコンセントにプラグ１８を挿入することにより認証装置７と電気錠操作盤９とに電源を供給する。
【００１４】
認証装置７では、入室しようとする人がかざすＩＣカードからカードリーダにより個人識別情報を読み取り、読み取った個人識別情報を予め認証装置７に登録されている個人識別情報と照合して個人識別情報が一致したとき認証が成功したとして認証成功信号を電気錠操作盤９に送る。
【００１５】
電気錠操作盤９では、認証装置７から認証成功信号が入力されると、電気錠を解錠する信号線に所定の時間に亘って電流を流して電気錠を解錠状態に維持する。そして、所定の時間を経過し終えたら電流を遮断して電気錠を旋錠状態に戻す。
【００１６】
第２機器パーテーション４ｄに据え付けられているインターホン子機１０は、インターホン親機１１との間を無線通信により通話回線を結ぶ。インターホン子機１０とインターホン親機１１の一例としてはＤＸアンテナ株式会社製スマートホンコードレスを適用することができ、インターホン子機１０は乾電池を電源として使用する。
【００１７】
次に、この発明に係る入退室管理システム１を借用する部屋の出入口１３に設置する手順を説明する。
まず、出入口１３の内側で外から来る人が入って入退室管理システム１にアクセスする空間を囲めるように、必要な部材を入手する。必要な部材としては、１個の底板３、５枚の汎用パーテーション４ａ、１枚の扉付パーテーション４ｂ、１枚の第１機器パーテーション４ｃ、１枚の第２機器パーテーション４ｄ、インターホン親機１１である。これらの部材は、工場で製造されるものである。
次に、底板３を図１に示すように、パーテーション４を嵌入する溝１５が設けられていない辺が出入口１３に面するように配置する。
次に、汎用パーテーション４ａの側端面をポール１４に嵌合し、下端面を溝１５に嵌入して底板３に取り付ける。次に、扉付パーテーション４ｂのコネクタ１６ａと第１機器パーテーション４ｃのコネクタ１６ｂとを接続し、扉付パーテーション４ｂと第１機器パーテーション４ｃとを合わせて溝１５に嵌入する。次に、第２機器パーテーション４ｄを溝１５に嵌入する。ここまでの作業により間仕切りは完了する。
次に、部内者が在席する場所にインターホン親機１１を配置し電源プラグをコンセントに接続してインターホン親機１１に電源を供給する。
次に、第１機器パーテーション４ｃからの電源線１７のプラグ１８を近くに有るコンセントに挿入することにより認証装置７と電気錠操作盤９とに電源を供給する。
次に、インターホン子機１０の電源スイッチをＯＮする。
こうして入退室管理システム１の設置が完了する。
【００１８】
この発明に係る入退室管理システム１は、底板３に工場で予め扉、認証装置や電気錠操作盤が据え付けられたパーテーション４を溝１５に嵌入したり、電源線を最寄りのコンセントに接続したりすることにより使用を開始でき、ビル側に何らの加工を施さないので、ビルのオーナの了解を得る必要がなく、テナントだけで判断することができる。
また、賃貸契約を解消して退去するときでも底板３からパーテーション４を溝から抜いたりコンセントからプラグを抜いたりするだけで解体できるので、現状に回復する工事は必要ない。
また、底板３にパーテーション４を溝１５に嵌入したり、電源線を最寄りのコンセントに接続したりする作業は他に迷惑を掛ける程の騒音を発しないので、平日でも組み立て作業を行うことができる。
【００１９】
なお、上述のロック機構は電気錠で扉をロックしているが、専用部分に入り込むことが許可された人に鍵を渡しておき、その鍵で開けられる機械式の錠をロック機構としても良い。また、専用部分に入り込むことが許可された人に連番を教えておき、その連番に従って番号釦を押されたときだけ解錠する機械錠をロック機構としても良い。
また、カードリーダにより個人識別情報を読み取っているが、指紋、静脈パターン、虹彩などの生体情報を個人識別情報に用いても良い。
【００２０】
また、認証装置と電気錠操作盤とが同じパーテーション４に据え付けられているが、違うパーテーションに据え付けておいても良い。このときには認証装置と電気錠操作盤とを電気的に接続するために、それぞれが据え付けられているパーテーションの側端面にコネクタを備え付けてコネクタ接続するようにする。同様に、電源線もコネクタにより接続するようにする。
【図面の簡単な説明】
【００２１】
【図１】この発明を実施するための最良の形態に係る入退室管理システムを出入口側から眺めた斜視図である。
【図２】この発明を実施するための最良の形態に係る入退室管理システムを専用部分側から眺めた斜視図である。
【図３】この発明に係る底板の斜視図である。
【符号の説明】
【００２２】
１  入退室管理システム、３  底板、４  パーテーション、４ａ  汎用パーテーション、４ｂ  扉付パーテーション、４ｃ  第１機器パーテーション、４ｄ  第２機器パーテーション、５  扉、６  カードリーダ、７  認証装置、８  電気錠、９  電気錠操作盤、１０  インターホン子機、１１  インターホン親機、１２  壁、１３  出入口、１４  ポール、１５  溝、１６ａ、１６ｂ  コネクタ、１７  電源線、１８  プラグ。
【図１】
2010101048.tif 000003
【図２】
2010101048.tif 000004
【図３】
2010101048.tif 000005